(57)【要約】【課題】  撮影や通話などの禁止場所では、使用できない状態にさせて、携帯電話機に付いているカメラで撮影したり通話などができないようにすることができる携帯電話機及び携帯電話機使用管理システムを提供する。【解決手段】  非接触ＩＣカード機能を有する携帯電話機であって、携帯電話機の電源の供給を行なう電源部と、外部端末装置との間で無線通信を行うことが可能な非接触ＩＣカード部と、前記非接触ＩＣカード部から受信した信号に基づき、前記電源部からの電源供給について、電源供給停止の状態と、電源供給可能な状態とを切り替える制御を行なう電源供給制御手段と、前記非接触ＩＣカード部が前記外部端末装置から電源供給を制御するための信号を受信した際に、前記電源供給制御手段に対して電源供給を制御する信号を送信する送信手段とを備える携帯電話機と、前記携帯電話機の電源供給を制御するための信号を送信する信号送信装置とからなる。【選択図】        図１
2006352392.tif 000002
【特許請求の範囲】
【請求項１】
非接触ＩＣカード機能を有する携帯電話機であって、
携帯電話機の電源の供給を行なう電源部と、
外部端末装置との間で無線通信を行うことが可能な非接触ＩＣカード部と、
前記非接触ＩＣカード部から受信した信号に基づいて、前記電源部からの電源供給について、電源供給停止の状態と、電源供給可能な状態とを切り替える制御を行なう電源供給制御手段と、
前記非接触ＩＣカード部が前記外部端末装置から電源供給を制御するための信号を受信した際に、前記電源供給制御手段に対して電源供給を制御する信号を送信する送信手段と、を備えることを特徴とする携帯電話機。
【請求項２】
非接触ＩＣカード機能を有する携帯電話機の使用を管理する携帯電話機使用管理システムであって、
携帯電話機の電源の供給を行なう電源部と、
外部端末装置との間で無線通信を行うことが可能な非接触ＩＣカード部と、
前記非接触ＩＣカード部から受信した信号に基づいて、前記電源部からの電源供給について、電源供給停止の状態と、電源供給可能な状態とを切り替える制御を行なう電源供給制御手段と、
前記非接触ＩＣカード部が前記外部端末装置から電源供給を制御するための信号を受信した際に、前記電源供給制御手段に対して電源供給を制御する信号を送信する送信手段とを備える携帯電話機と、
前記携帯電話機の電源供給を制御するための信号を送信する信号送信装置とからなることを特徴とする携帯電話機使用管理システム。
【発明の詳細な説明】
【技術分野】
【０００１】
本発明は、非接触ＩＣカード機能を有する携帯電話機であって、携帯電話機が使用されては困る場所では強制的に携帯電話機を使用できない状態にすることができる携帯電話機及び携帯電話機使用管理システムに関する。
【背景技術】
【０００２】
近年、カメラ機能付き携帯電話機が市場に出回っており、携帯電話機のカメラ機能で撮影した画像情報をそのままデジタルデータとして送信可能になっている。
カメラ機能付き携帯電話機があれば、カメラを所持していなくても携帯電話機だけで撮影できるという利便性があるものの、撮影が禁止している場所でも不正に撮影されてしまうという危険性がある。
例えば、研究施設、最新設備を備える工場などでは、外部に知らせたくない秘密状態で管理したい設備などがあるので、撮影を禁止している場合がある。
また、コンサート会場などでも観客がカメラで撮影することを禁止している場合がある。
【０００３】
しかしながら、これらの撮影や通話が禁止している場所であっても、研究施設や最新工場設備に訪れる訪問者や、コンサート会場に訪れる観客などから、所持している携帯電話機を一時的に預かるという方法も考えられるが、預かった携帯電話機に記憶されている情報を盗み見られる危険性などの情報セキュリティ上の問題や、またコンサート会場の場合には、多数の観客が訪れるので携帯電話機を預かる管理を行うことに時間や手間がかかりすぎるという問題があり現実的な解決にはならない。
【０００４】
従来技術として、入場ゲートを通過する際に、モードを切り替えるようにした携帯電話機の技術が公知となっている。（例えば、特許文献１、参照）
しかしながら、モードを切り替えさせたとしても、カメラ機能を有する携帯電話機の場合には、携帯電話機の電源を切らなければ隠れて撮影が可能であり、撮影が禁止されている場所が撮影されてしまうという問題がある。
【特許文献１】特開２００３−６９６７０号公報
【発明の開示】
【発明が解決しようとする課題】
【０００５】
本発明は、上記の問題点を解決するために、撮影や通話などが禁止されている場所では、携帯電話機を使用できない状態にさせて、携帯電話機に付いているカメラで撮影したり、通話などができないように制御することができる携帯電話機及び携帯電話機使用管理システムを提供することを目的とする。
【課題を解決するための手段】
【０００６】
本発明の携帯電話機は、非接触ＩＣカード機能を有する携帯電話機であって、携帯電話機の電源の供給を行なう電源部と、外部端末装置との間で無線通信を行うことが可能な非接触ＩＣカード部と、前記非接触ＩＣカード部から受信した信号に基づいて、前記電源部からの電源供給について、電源供給停止の状態と、電源供給可能な状態とを切り替える制御を行なう電源供給制御手段と、前記非接触ＩＣカード部が前記外部端末装置から電源供給を制御するための信号を受信した際に、前記電源供給制御手段に対して電源供給を制御する信号を送信する送信手段と、を備えることを特徴とする。
【０００７】
本発明の携帯電話機使用管理システムは、非接触ＩＣカード機能を有する携帯電話機の使用を管理する携帯電話機使用管理システムであって、携帯電話機の電源の供給を行なう電源部と、外部端末装置との間で無線通信を行うことが可能な非接触ＩＣカード部と、前記非接触ＩＣカード部から受信した信号に基づいて、前記電源部からの電源供給について、電源供給停止の状態と、電源供給可能な状態とを切り替える制御を行なう電源供給制御手段と、前記非接触ＩＣカード部が前記外部端末装置から電源供給を制御するための信号を受信した際に、前記電源供給制御手段に対して電源供給を制御する信号を送信する送信手段とを備える携帯電話機と、前記携帯電話機の電源供給を制御するための信号を送信する信号送信装置とからなることを特徴とする。
【発明の効果】
【０００８】
本発明の携帯電話機は、撮影や通話などが禁止している場所に入る際に携帯電話機の電源の供給が停止されるので、たとえカメラ機能付き携帯電話機を所持したまま入ったとしても、撮影や通話などが行えないので、携帯電話機を一時的に預かる必要もなく、不正な撮影を防止することができるという効果がある。
【０００９】
また、本発明の携帯電話機使用管理システムは、撮影が禁止している場所の入口に信号送信装置を設けておくことで、携帯電話機を所持して入場した場合に、携帯電話機の電源の供給が停止されるので、たとえカメラ機能付き携帯電話機を所持したまま入ったとしても、撮影や通話などが行えないので、携帯電話機を一時的に預かる必要もなく、不正な撮影や通話などを防止することができるという効果がある。
【発明を実施するための最良の形態】
【００１０】
以下、本発明の実施の形態を図面に基づいて詳細に説明する。
図１は、本発明の実施形態に係る携帯電話機及び携帯電話機使用管理システムのブロック構成を示す図、図２は、本発明の実施形態に係る携帯電話機使用管理システムの概要を説明する図、図３は、本発明の実施形態に係る携帯電話機使用管理システムにおいて、携帯電話機が信号送信装置から信号を受信する際の説明図、図４は、本発明の実施形態に係る携帯電話機使用管理システムにおいて、携帯電話機の使用を停止させる処理手順を示すフローチャート、図５は、本発明の実施形態に係る携帯電話機使用管理システムにおいて、携帯電話機の使用を可能な状態にさせる処理手順を示すフローチャートである。
【００１１】
まず、図１に基づいて、本発明の実施形態に係る携帯電話機１と、携帯電話機使用管理システムで使用する信号送信装置２とのブロック構成について説明する。
携帯電話機１には、表示手段３、入力手段４、電源部５、記憶手段６、制御手段７、電源供給制御手段８、インターフェーフェース（Ｉ/Ｆ）９、音声入出力手段１０、カメラ撮影手段１１、デジタル信号処理手段１２、ＲＦ入出手段１３などが備えられている。
更に、携帯電話機１には、非接触ＩＣカード部１４が着脱可能に内蔵されて設けられている。
この非接触ＩＣカード部１４には、インターフェーフェース（Ｉ/Ｆ）１５、送受信手段１６、記憶手段１７、制御手段１８などが備えられている。
携帯電話機１のＩ/Ｆ９と、非接触ＩＣカード部１４のＩ/Ｆ１５とにより、携帯電話機１と非接触ＩＣカード部１４との間での信号の送受信が行われる。
【００１２】
携帯電話機１の電源供給制御手段８は、非接触ＩＣカード部１４から受信した信号に基づき、電源部５からの電源供給について、電源供給停止の状態と、電源供給可能な状態とを切り替える制御を行なう機能を有している。
つまり、電源供給制御手段８において、電源供給停止の状態に制御された場合には、携帯電話機１の全ての機能が停止されるので、通話やカメラ撮影手段１１によるカメラ撮影ができないようにしてある。
したがって、電源供給制御手段８で電源供給停止の状態に制御された場合は、通常の電源スイッチＯＮの状態にするための操作を行ったとしても、電源部５からの電源の供給がされないようにしてある。
【００１３】
非接触ＩＣカード部１４の記憶手段１７には、予め携帯電話機１を電源供給停止の状態とするための信号情報と、また、携帯電話機１を電源供給可能な状態とするための信号情報とが記憶されている。
非接触ＩＣカード部１４では、信号送信装置２から送信された信号を受信した後に、その信号が、電源供給停止の指示信号であるのか、または、電源供給可能とする指示信号であるのかを記憶手段１７に記憶されている信号情報に基づいて判定して、その指示信号が意味する電源供給停止または電源供給の指示信号を、携帯電話機１の電源供給制御手段８に対して送信することで、電源部６からの電力の制御を行う。
【００１４】
次に、信号送信装置２について説明する。
この信号送信装置２には、信号送信手段１９、電源部２０、記憶手段２１、制御手段２２などが備えられている。
記憶手段２０には、信号送信装置２の設置場所に応じて、電源供給停止の指示信号、または、電源供給可能とする指示信号が記憶されている。
信号送信手段１９は、所定の距離に対して指示信号を電波送信する機能を有しており、信号送信手段１９から送信された指示信号が、携帯電話機１の非接触ＩＣカード部１４の送受信手段１６で受信される。
【００１５】
次に、図２及び図４に基づいて、携帯電話機１を用いた携帯電話機使用管理システムについて説明する。
図２には、入口２３と出口２４を備えた最新の設備を有する工場施設からなる撮影禁止場所２５の見取り図が示されている。
この入口２３と出口２４とには、それぞれ信号送信装置２ａ，２ｂが備えられている。
各々の信号送信装置２ａ，２ｂからは、少なくとも入口２３または出口２４を通過する訪問者２６の通過領域に対してそれぞれ電波が届くように電波が送信されている。
【００１６】
図３には、入口２３を通過して撮影禁止場所２５に入場する訪問者２６が所持する携帯電話機１と、入口２３に備えられた信号送信装置２ａから送信される送信電波２７ａとの関係が示されている。
図３に示すように、入口２３を通過する訪問者２６が所持する携帯電話機１は、必ず信号送信装置２ａから送信されている電波２７ａの送信領域を通過して、信号送信装置２ａからの送信電波２７ａを受信するようにしてある。
また、出口２４においても入口２３と同様に、訪問者２６が撮影禁止場所２５から退場する際に、信号送信装置２ｂからの送信電波２７ｂを受信するようにしてある。
【００１７】
そして、入口２３に備えられた信号送信装置２ａから送信される送信電波２７ａには、電源供給停止の指示信号を有しており、また、出口２４に備えられた信号送信装置２ｂから送信される送信電波２７ｂには、電源供給可能とする指示信号を有している。
したがって、入口２３を通過する訪問者２６が所持する携帯電話機１は、入口２３に備えられた信号送信装置２ａから送信される電波２７ａを受信することで、電源供給停止の指示信号を受信して、携帯電話機１の電源の供給が停止されて使用できない状態となる。
また、出口２４を通過する訪問者２６が所持する携帯電話機１は、出口２４に備えられた信号送信装置２ｂから送信される電波２７ｂを受信することで、電源の供給が行えて使用できる状態となる。
【００１８】
以上のように、撮影禁止場所２５の内部においては、携帯電話機１を使用したくても使用できないように電源の供給が停止された状態にすることで、携帯電話機１を使用して撮影を行えないようにしてある。
【００１９】
次に、本発明の実施形態に係る携帯電話機使用管理システムの処理手順を図４のフローチャートに基づいて説明する。
まず、訪問者２６が入口２３を通過する際に、信号送信装置２ａから送信されている電波２７ａを、訪問者２６の携帯電話機１の非接触ＩＣカード部１４が受信する。（ステップ１）
次に、携帯電話機１の非接触ＩＣカード部１４は、記憶手段１７に記憶されている情報に基づいて、受信した信号が、電源供給停止の指示信号であるのか、または電源供給の指示信号であるのかを判定する。（ステップ２）
【００２０】
ここで、入口２３に備えられた信号送信装置２ａからは、電源供給停止の指示信号用の電波を送信しているので、携帯電話機１の非接触ＩＣカード部１４は、電源供給停止の指示信号であると判定し、携帯電話機１の電源供給制御手段８に対して、電源供給停止を指示する信号を送信する。（ステップ３）
そして、携帯電話機１の電源供給制御手段８は、非接触ＩＣカード部１４からの指示信号を受信して、電源部５からの電力の供給を停止する制御を行う。（ステップ４）
以上の処理により、訪問者２６は、撮影禁止場所２５の内部で携帯電話機１の使用ができない状態となる。
【００２１】
次に、訪問者２６が出口２４を通過する際に、信号送信装置２ｂから送信されている電波２７ｂを、訪問者２６の携帯電話機１の非接触ＩＣカード部１４が受信する。（ステップ１１）
次に、携帯電話機１の非接触ＩＣカード部１４は、記憶手段１７に記憶されている情報に基づいて、受信した信号が、電源供給停止の指示信号であるのか、または電源供給の指示信号であるのかを判定する。（ステップ１２）
【００２２】
ここで、入口２４に備えられた信号送信装置２ｂからは、電源供給の指示信号用の電波を送信しているので、携帯電話機１の非接触ＩＣカード部１４は、電源供給の指示信号であると判定し、携帯電話機１の電源供給制御手段８に対して、電源供給を行える状態とする信号を送信する。（ステップ１３）
そして、携帯電話機１の電源供給制御手段８は、非接触ＩＣカード部１４からの指示信号を受信して、電源部５からの電力の供給を行える状態に制御を行う。（ステップ１４）
以上の処理により、訪問者２６は、撮影禁止場所２５から退場して外部に戻る際に、携帯電話機１を再び行える状態となる。
【００２３】
以上のように、本発明の実施形態に係る携帯電話機使用管理システムでは、撮影禁止場所２５に限らず、携帯電話機１が使用されては困るような場所や施設などに、信号送信装置を必要に応じて備えておくことで、携帯電話機１の使用をコントロールできるものである。
【図面の簡単な説明】
【００２４】
【図１】本発明の実施形態に係る携帯電話機及び携帯電話機使用管理システムのブロック構成を示す図である。
【図２】本発明の実施形態に係る携帯電話機使用管理システムの概要を説明する図である。
【図３】本発明の実施形態に係る携帯電話機使用管理システムにおいて、携帯電話機が信号送信装置から信号を受信する際の説明図である。
【図４】本発明の実施形態に係る携帯電話機使用管理システムにおいて、携帯電話機の使用を停止させる処理手順を示すフローチャートである。
【図５】本発明の実施形態に係る携帯電話機使用管理システムにおいて、携帯電話機の使用を可能な状態にさせる処理手順を示すフローチャートである。
【符号の説明】
【００２５】
１  携帯電話機
２，２ａ，２ｂ  信号送信装置
３  表示手段
４  入力手段
５  電源部
６，１７  記憶手段
７，１８  制御手段
８  電源供給制御手段
９，１５  インターフェーフェース（Ｉ/Ｆ）
１０  音声入出力手段
１１  カメラ撮影手段
１２  デジタル信号処理手段
１３  ＲＦ入出手段
１４  非接触ＩＣカード部
１６  送受信手段
１９  信号送信手段
２０  電源部
２３  入口
２４  出口
２５  撮影禁止場所
２６  訪問者
２７ａ，２７ｂ  送信電波
【図１】
2006352392.tif 000003
【図２】
2006352392.tif 000004
【図３】
2006352392.tif 000005
【図４】
2006352392.tif 000006
【図５】
2006352392.tif 000007